(57)【要約】      （修正有）【課題】肢体不自由者、老人等を二人掛かりにて、安全に又容易に移動させる移送用具を提供する。【解決手段】介護者二人の間に座１、背あて２の左右両側に肩掛けベルト３及び肩掛けベルト下４を取り付けた移送用具であって、被介護者が前方に滑落するのを防ぐために肩掛けベルト下４に取り付けた前ベルト５及び別添えとして保護帯６を備えた。【選択図】図２
0003197324.tif 000002
【実用新案登録請求の範囲】
【請求項１】
特許公開２００３−７９６７６に示した肩掛け式介護用移送具の改良型。
【考案の詳細な説明】
【技術分野】
【０００１】    本発明は、特許公開２００３−７９６７６に示した肩掛け式介護用移送具の改良型である。
【背景技術】
【０００２】    特許公開２００３−７９６７６に示した肩掛け式介護用移送具においては丈夫さ及び安全性に主眼を置き、本体布地に綿布８号を使用し、座１の部分を板状とした。
【先行技術文献】
【特許文献】
【０００３】
【特許文献１】  特開２００９−  ４８４号公報
【特許文献２】  特開２０１１−４５４７０号公報
【特許文献３】  特開２０１１−２５０９２４号公報
【非特許文献】
【０００４】
【非特許文献１】  実案第３１７６９０５号公報
【考案の概要】
【考案が解決しようとする課題】
【０００５】    特許公開２００３−７９６７６に示した肩掛け式介護用移送具においては、丈夫さ及び安全性を重要視したことにより、布地が硬い、座１が板状であるため装着しにくい等の難点があった。
【課題を解決するための手段】
【０００６】    布地においては、防炎ポリエステルである東レのキャンテリアを使用することにより布地の硬さを軽減した。【０００７】    構造面においては、座１部分を装着しやすい様に布状とし、保護帯６を別添とし、非介護者の体格にあわせ調整できるように面ファスナー８，８‘を使用した。非介護者の手でつかめるものがほしいとのことから、前ベルト５を設けた。背あて調節帯に関しては、背あて２の高さを従来のものより高くしたことにより不要となった。
【考案を実施するための形態】
考案の実施の形態を図面を参照にして説明する。
【０００８】    座１が板状であったものを布状とし、ラッセル布地を上部にして２重のものとしたことにより非介護者の後方から挿入し装着できるようになった。
【０００９】    保護帯６の幅を１００ｍｍとし別添えとした、面ファスナー８及び８‘でで装着するようにしたことで、より安心感を得られた。
【００１０】    背あて調節帯のかわりに肩掛けベルト３と背あて２とを継ぐ背あてベルト１０としたことにより構造を簡素化できた。
【００１１】    前ベルト５を新しく設けたことにより被介護者が両手で攫めるので安心感を増すことができた。
【考案の効果】
【００１２】    布地を薄くし、座１を布状にしたことにより、小さくたためるので持ち歩き及び収納が容易となった。
【００１３】    布地を薄くし、構造を簡素化したことにより、製作の手数が軽減できるので、従来のものより安値にて出荷できる。
【図面の簡単な説明】
【００１５】
【図１】  介護用移送具の主要部品である。
【図２】  介護用移送具の概要図である。
【図３】  介護用移送具を用いて非介護者を抱え上げた状態である。「ほいさっさ」の改良型であるので「ほいさっさ  ライト」と名付けた。
【符号の説明】
【００１６】    １  ：座
２  ：背あて
３  ：肩掛けベルト
４  ：肩掛けベルト下
５  ：前ベルト
６  ：保護帯
７  ：バックル雄
７’：バックル雌
８  ：面ファスナー雌
８’：面ファスナー雄
９  ：肩あて
１０  ：背あてベルト
【図１】
0003197324.tif 000003
【図２】
0003197324.tif 000004
【図３】
0003197324.tif 000005
【手続補正書】
【提出日】平成27年2月19日(2015.2.19)
【手続補正１】
【補正対象書類名】実用新案登録請求の範囲
【補正対象項目名】全文
【補正方法】変更
【補正の内容】
【実用新案登録請求の範囲】
【請求項１】
介護者二人の間に座１、背あて２の左右両側に肩掛けベルト３及び肩掛けベルト下４を取り付けた移送用具であって、被介護者が前方に滑落するのを防ぐために肩掛けベルト下４に取り付けた前ベルト５及び別添えとして保護帯６を備えた、二人にて被介護者一人を移送するための移送用具。
【手続補正２】
【補正対象書類名】明細書
【補正対象項目名】全文
【補正方法】変更
【補正の内容】
【考案の詳細な説明】
【技術分野】
【０００１】  肢体不自由者、老人等を二人掛かりにて移動させる場合に用いる。
【背景技術】
【０００２】  従来被介護者を移動させる場合担架を用いるか、ハンモック状の布を用いる場合もあるが、いずれも室内や施設内の一部しか移動できない等行動範囲に限界があった。
【先行技術文献】
【特許文献】
【０００３】
【特許文献１】  特開  ２００９−１０１１０１  公報  特開  ２０１１−１４７４８２  公報  特開  ２０１１−２５０９２４  公報
【非特許文献】
【０００４】
【非特許文献１】  ウエルネット  スリングシート  介援隊
【考案の概要】
【考案が解決しようとする課題】
【０００５】    従来の介護用移送具においては、布地が硬い、被介護者が前方に滑り落ちそうで怖い等の難点があった。
【課題を解決するための手段】
【０００６】    布地においては、防炎ポリエステルである東レのキャンテリアを使用することにより、布地の硬さを軽減した。【０００７】    構造面においては被介護者が前方に滑落するのを防ぐために保護帯６及び前ベルト５を装備した。
【考案の効果】
【０００８】    使用布地を薄くて軽いものにしたことにより、小さく収納できる。【０００９】    保護帯６及び前ベルト５を装備したことにより被介護者が移送される際の安心感を増すことができた。
【図面の簡単な説明】
【００１０】
【図１】（１）（２）（３）は、介護用移送具の主要部品である。
【図２】は、介護用背負い具の概要図である。
【図３】は、介護用移送具を使用している様子であるが、肩掛けベルト３の使用方法と保護帯６を装着している様子を示した。
【考案を実施するための最良の形態】
【実施例１】
【００１１】    介護者二人の体格の違いによる肩掛けベルトの調節は座１が水平になるよう肩掛けベルト下４にてあらかじめ行っておく。
【実施例２】
【００１２】    ベッド又は椅子等に腰かけた状態になっていただき介護者の一人が被介護者の上半身をすこし前かがみにさせ、もう一人の介護者が被介護者の後部より座１部分を挿入する。
【実施例３】
【００１３】    保護帯６を装着することにより被介護者が前方に倒れこむ危険を防止するとともに、座１及び背あて２に対する被介護者の座位置を確定することができる。
【産業上の利用可能性】
【００１４】    斜面地、階段等での被介護者移送のために考案したものであるが、病院、施設、又は一般のビル火災時等の非常時にも利用できる。
【符号の説明】
【００１５】      １      ：  座
２      ：  背あて
３      ：  肩掛けベルト
４      ：  肩掛けベルト下
５      ：  前ベルト
６      ：  保護帯
７      ：  バックル雄
７’    ：  バックル雌
８      ：  面ファスナー雌
８’    ：  面ファスナー雄
９      ：  肩あて
１０      ：  背あてベルト